(57)【要約】  【課題】  誤って操作キーが押圧され入力され続けても、送信コードが所定数連続して出力されることをカウントして自動的に送信コードの送信を停止することができるリモコン送信機の提供。  【解決手段】  操作キー１１を備え、操作キー１１が入力されることで操作キー１１に割当てられた送信コードＷを出力する送信コード出力手段１３を備えたリモコン送信機１において、  送信コード出力手段１３の出力する送信コードＷをカウントするカウント手段１７と、カウント手段１７のカウントが所定数に達することで送信コード出力手段１３に送信コードの送信を停止させる送信停止手段１８とを備える。【選択図】  図１
2006074229.tif 000002
【特許請求の範囲】
【請求項１】
操作キーを備え、操作キーが入力されることで操作キーに割当てられた送信コードを出力する送信コード出力手段を備えたリモコン送信機において、
送信コード出力手段の出力する送信コードをカウントするカウント手段と、カウント手段のカウントが所定数に達することで送信コード出力手段に送信コードの送信を停止させる送信停止手段とを備えることを特徴とするリモコン送信機。
【請求項２】
前記カウント手段は、デジタル化された送信コードのビット数をカウントする請求項１に記載のリモコン送信機。
【請求項３】
前記カウント手段は、デジタル化された送信コードの信号立ち上がり数および／または信号立ち下がり数をカウントする請求項１に記載のリモコン送信機。
【発明の詳細な説明】
【技術分野】
【０００１】
この発明は、リモコン送信機にかかり、詳細には、テレビやＤＶＤレコーダ等に使用する省電力なリモコン送信機に関する。
【背景技術】
【０００２】
一般にリモコン送信機は、例えばテレビに使用する際には、利用者が所定の操作キーを押圧入力することで、予め各操作キーに割当てられた信号を送信する。
ところが、リモコン送信機を使用していないときに、リモコン送信機の操作キー上に雑誌等が置かれてしまい、利用していないにも拘らず操作キーが押された不慮の状態となってしまう場合が有る。
【０００３】
そして、該状態では、操作キーが押圧され入力状態をとり続けるため、リモコン送信機では、利用されることのない信号を送信し続けることとなり、電力を無駄に消耗してしまった。
【０００４】
上記問題を解決するために、発明された従来例は以下の通りである。
即ち、『リモコン送信機』（特許第１９７３９３６号、以下、従来例１という。）がある。この従来例１は、
【０００５】
『（請求項１）  操作キーの操作によって指令信号を送信する様になされたリモコン送信機において、上記操作キーが操作されたときに動作する様になされたタイマーを設け、上記操作キーが操作されたときは指令信号を送信すると共に上記タイマーを動作させ、上記操作キーが操作され続けられ、上記タイマーにおいて所定時間が経過したときに指令信号送信用の電源のスイッチ回路をオフとし、上記指令信号の送信を停止する様にしたことを特徴とするリモコン送信機。』
【０００６】
からなる。そして従来例１では、請求項に記載された操作キー、タイマー、電源のスイッチ回路の各手段を備えており、操作キーが入力されることで、操作キーに対応した指令信号を送信可能に構成されている。
そして、従来例１では、操作キーが入力されたことに対応して出力する信号出力は以下の通りである。
【０００７】
即ち、図４に表すように、待機状態ではステップＳ１０１においてタイマーを初期設定に戻し、次いで実行されるＳ１０２において、操作キーが押圧されて入力されたか否かを判断し、操作キーが入力された場合には続けてステップＳ１０３が実行される。
ステップＳ１０３は入力された操作キーが、タイマーによって出力制御する必要があるか否かを判断するステップであり、該ステップＳ１０３において、タイマーによる制御が必要であると判断された場合には、続けてステップＳ１０４が実行される。
尚、ステップＳ１０３においてタイマーによる制御が不要であると判断された場合には、該操作キーによって定められた所定の信号を送信する送信制御ステップであるステップＳ１１２が実行され、リモコン送信機では所定の信号を送信し続ける。
ステップＳ１０３においてタイマーによる制御が必要であると判断された場合には、続けてステップＳ１０４が実行される。ステップＳ１０４では、タイマーをスタートさせる。ステップＳ１０４に続いてステップＳ１０５が実行される。
【０００８】
ステップＳ１０４においてタイマーがスタートしたところで、ステップＳ１０５が実行され、信号送信ステップであるＳ１０５では入力された所定操作キーに定められている所定信号を送信する。次いで、ステップＳ１０６が実行される。
ステップＳ１０６では、入力された操作キーがオフにされたかどうかを判断するステップであり、操作キーが押圧され入力されたままであれば続けてステップＳ１０７が実行される。また、操作者が操作キーの押圧を解除しオフ状態となった場合には、続けてステップＳ１１０が実行される。
即ち、ステップＳ１０６では、正常な利用の場合には、操作キーがオフ状態となるので、ステップＳ１１０が実行されるのであるが、雑誌等がリモコン送信機の上に載せられており、連続して操作キーが入力状態である場合には続けてポイント読込ステップＳ１０８以下の処理によってやがて操作キーが押圧されていても信号の送信を停止させることとなる。
【０００９】
操作キーが押圧されて入力され続けると、ステップＳ１０６ではＮＯと判断し、続けてステップＳ１０７が実行される。
ステップＳ１０７では、タイマーのカウントアップを続け、続けてステップＳ１０８が実行される。
ステップＳ１０８では、入力された操作キーに予め定められた制限時間を判断するステップであり、入力された操作キーが短い制限時間の場合、続けてステップＳ１０９が実行され、制限時間が長い操作キーの場合には続けてステップＳ１１１が実行される。
短い制限時間の場合にステップＳ１０８に続けて実行されるステップＳ１０９は、所定の時間が経過したかを判断するステップであり、図４では３０秒を経過したか否かを判断している。そして、３０秒を経過した場合には続けてステップＳ１１０が実行される。
同様に、長い制限時間の場合にステップＳ１０８に続けて実行されるステップＳ１１１は、所定の時間が経過したかを判断するステップであり、図４では６０秒を経過したか否かを判断している。そして、６０秒を経過した場合には続けてステップＳ１１０が実行される。
【００１０】
尚、ステップＳ１０９およびステップＳ１１１において、それぞれ所定時間が経過していないと判断した場合には、再びステップＳ１０５以下を実行し、所定時間経過するまで、ステップＳ１０５によって操作キーに対応した信号を送信し続けることとなる。
そして、ステップＳ１０９およびステップＳ１１１において、それぞれ所定時間が経過したと判断した場合に実行されるステップＳ１１０では、ステップＳ１０５によって出力していた操作キーに対応した信号の送信を停止させ、次いで再びステップＳ１０１以下を実行する。
【００１１】
従って、従来例１では、所定操作キーが押圧され続けて入力状態を維持し続けても、タイマーによって所定操作キーに予め設定された短い制限時間あるいは長い制限時間経過後は信号送信を停止することとなる。
【００１２】
また、他の従来例としては、『リモコン送信機』（特開平６−１５３２８１号、以下従来例２という）があった。
この従来例２は
【００１３】
『（請求項１）  操作キーの入力により送信コードを出力する手段を備えたリモコン送信機において、送信中に動作するカウンタと、前記カウンタの値と別途設定された時間とを比較する比較器と、前記送信コードの変化を検出する手段と、前記手段にて前記送信コードの変化を検出した場合には前記カウンタをリセットするリセット信号を出力する手段と、前記比較器の比較結果に応じて送信コードの出力の許可と禁止とを切り替え制御する手段とを備えることを特徴とするリモコン送信機。
（請求項２）  送信コードの変化を検出する手段が、押されている操作キーの変化を検出する手段である請求項１に記載のリモコン送信機。
（請求項３）  送信コードの変化を検出する手段が、実際に出力されている送信コードの波形データを読み取って、前記波形データの変化を検出する手段である請求項１に記載のリモコン送信機。』
からなる。
【００１４】
そして、従来例２は、図５に表すように操作キーの読み取り部２０１で押圧され入力されたキーが有るか否かを判断し、入力があった場合に、操作キー種判別部２０２がその入力された操作キーの種類および入力キーの有効／無効を判別する。そして、入力された操作キーが有効な場合には、リモコン出力波形作成部２０３が該操作キーに予め割当てられた送信コードを作成し、送信コード出力制御部２０９、赤外線ＬＥＤ２０４によって送信コードを出力する。
【００１５】
一方、操作キー種判別部２０２によって判別された結果は、操作キーの変化を検出するために操作キー変化検出部２０５へも出力される。
操作キー変化検出部２０５では、操作キーの変化を検出し、変化があればリセット信号２３０を出力し、カウンタ２０７のクリアを行う。すなわち、通常に操作キーを押した場合は、カウンタ２０７がクリアされるので、送信コード出力制御部２０９では常に送信コードの出力が許可され、赤外線ＬＥＤ２０４から送信コードを出力する。
【００１６】
また、操作キーが押圧され続けると、操作キー変化検出部２０５では変化を検出できないので、カウンタをリセットするリセット信号２３０を出力しないので、カウンタ２０７はカウントを続けることとなる。この場合には、比較器２０８がレジスタ２０６に予め設定されている値と該カウント値とを比較し、該カウント値がレジスタに設定されている値に一致すると、比較器２０８では送信コード出力制御部２０９に一致信号２３１を送信し、送信コード出力制御部２０９では該一致信号２３１を受領して送信コードの出力を停止する。
従って、従来例２では、該公報に『従って、長時間同じキーが押されたままで、ある一定時間が経つと、リモコン波形の送信を禁止するので、消費電流を低減することができる。』と記載されるように、所定時間が経過することで、やはりリモコン送信機からの操作信号の送信を停止する。
【特許文献１】特公平６−１０１８６８号公報（特許第１９７３９３６号）
【特許文献２】特開平６−１５３２８１号公報
【発明の開示】
【発明が解決しようとする課題】
【００１７】
しかしながら、従来例１では、タイマーを用いて送信時間を管理することにより、リモコン送信機の上に雑誌が載る等して起こる操作信号の無駄な送信を無くすよう構成されているため、タイマー装置をわざわざ設けたり、ソフトによるタイマー処理が不可欠となる問題点を有した。
また、従来例２でも、カウンタ２０７では該公報中に『従って、長時間同じキーが押されたままで、ある一定時間が経つと、リモコン波形の送信を禁止するので、消費電流を低減することができる。』との記載がある様に、時間を管理するカウントを行うため、やはりカウンタ２０７自身がタイマーであるか、カウンタ２０７のカウントにタイマーが必須であるので、従来例１同様タイマー装置をわざわざ設けたり、ソフトによるタイマー処理が不可欠となる問題点を有した。
そこでこの発明は上記問題点に鑑み、タイマー処理を必要とせず、送信コードを監視することで、消費電力を無駄に消費しないような出力信号の制御が可能なリモコン送信機を提供することを課題とする。
【課題を解決するための手段】
【００１８】
この発明は上記課題を達成するため、出力信号をカウントし、出力信号数が所定数に達したことを受けて出力信号の送信を停止するようなリモコン送信機として、
【００１９】
操作キーを備え、操作キーが入力されることで操作キーに割当てられた送信コードを出力する送信コード出力手段を備えたリモコン送信機において、送信コード出力手段の出力する送信コードをカウントするカウント手段と、カウント手段のカウントが所定数に達することで送信コード出力手段に送信コードの送信を停止させる送信停止手段とを備えることを特徴とするリモコン送信機、
を提供する。このように構成するリモコン送信機では、送信コード出力手段が送信コードを出力する。出力する送信コードは、例えば所定の波形形状を成すデジタルパルス信号では、所定の波形形状を持って送信コードのフレームを形成しているので、カウント手段が該フレーム数をカウントし、カウント手段のカウントしたフレーム数が、予め定める所定数に達したか否かを送信停止手段が監視しており、該フレーム数が所定数に達すると送信停止手段が送信コード出力手段からの送信コードの出力を停止させる。
また、カウント手段では、
【００２０】
デジタル化された送信コードのビット数をカウントする構成としたリモコン送信機では、カウント手段がカウントする対象は、送信コードのビット数、あるいは送信コードの信号立ち上がり数および／または信号立ち下がり数の現出回数をカウントすることで行う。このようにカウント手段を構成することで、カウント手段では送信コードの開始時、あるいは終了時を検出することなく単に所定の立ち上がり数（あるいは、立ち下がり数）をカウントするという単純なカウント手段によって構成可能である。
【発明の効果】
【００２１】
従って、この発明によれば、カウント手段が送信コード数をカウントし、カウントした値が予め定めた所定数に達したか否かにより送信コードの出力を制御可能となる。従って、タイマーを設けて時間を計測する必要がなくなるので、リモコン送信機にタイマーを必要とせずに、タイマーを用いなくとも所定数の送信コードを送信する時間経過後には、誤って操作キーが押圧され入力され続けても送信コードの出力を停止できる。
【００２２】
また制御フローが、単に送信コードのカウントアップとカウント値と所定値との比較のみと単純で短いソフト処理によって実現可能となる。
従って、送信コードを連続して出力し続けることが無くなるので、無駄な電力の消費をすることが無い。
【発明を実施するための最良の形態】
【００２３】
リモコン送信機は、複数の操作キーと、操作キー毎に予め割当てられた送信コードを送信する送信コード出力手段を備える。リモコン送信機には、マイクロコンピュータチップを設け、該送信コード出力手段は、該マイクロコンピュータチップ内に備えられている。操作キー毎に割当てる送信コードは、該マイクロコンピュータチップ内に予め設定されており、操作キーが押圧されると押圧された操作キーを判断して該操作キーに対応した送信コードを送信コード出力手段が出力し、マイクロコンピュータチップ内に設けた変調回路増幅回路等を経由して赤外ＬＥＤから赤外信号として送信する。
また、マイクロコンピュータチップ内には、カウント手段および送信停止手段が設けられている。カウント手段は、操作キーが押圧されて送信コード出力手段から出力された送信コードをフレーム毎にカウントする。この時カウントされるフレームは押圧された操作キー毎に異なるが、何れの操作キーが押圧され入力されてもフレーム数をカウントする。
【００２４】
そして、送信停止手段は、カウント手段でカウントしたフレーム数と、予め設定されるフレーム数とを比較し、カウントしたフレーム数の値が予め設定されたフレーム数に達した場合には、送信コード出力手段へ送信コードの出力を停止する様に停止信号を送信する。送信コード出力手段では、該停止信号を受領すると該送信コードの出力を停止する。
これにより、雑誌等がリモコン送信機の上に放置される等して操作キーが押圧され続けても、カウント手段および送信停止手段によって、予め設定されたフレーム数を超えて該送信コードを出力しないようにするので、無駄な電力の消耗が無くなる。
【実施例１】
【００２５】
以下に、この発明の実施例を図面に基づき説明する。図１はこの発明の実施例を表す回路説明図であり、図２は送信する信号コードを説明する説明図であり、図３はこの発明の実施例における動作フローチャートである。
【００２６】
１は、この発明の実施例であるリモコン送信機である。リモコン送信機１は、図１に表すように、電気回路中にマイクロコンピュータチップ１０を備える。また、リモコン送信機１は、複数の操作キー１１を備える。そして、操作キー１１は、それぞれマイクロコンピュータチップ１０へ接続されてなり、操作キー１１が押圧され入力されるとマイクロコンピュータチップ１０に該入力状態が伝達される。
【００２７】
マイクロコンピュータチップ１０は、押圧され入力された操作キー１１を判別する操作キー判別手段１２を具備すると共に、操作キー１１毎に予め定めた操作信号である送信コードを出力する送信コード出力手段１３を具備している。そして、マイクロコンピュータチップ１０では、操作キー１１が押圧され入力されると操作キー判別手段１２によって押圧された操作キー１１を判別し、送信コード出力手段１３が該操作キー１１に予め定められている送信コードを出力する。
【００２８】
更にマイクロコンピュータチップ１０は、変調回路１４を具備する。変調回路１４は、送信コード出力手段１３から出力された送信コードを、通信信号として送信手段から出力させるために赤外変調するための回路であり、送信コードを赤外波長の搬送波に重畳して出力させる通信信号を生成する。
【００２９】
１５は、送信手段である赤外ＬＥＤである。赤外ＬＥＤ１５は、マイクロコンピュータチップ１０と接続され、送信コードを変調回路１４によって変調され生成された送信コード出力手段１３から出力される通信信号として操作機器に送信する。この実施例では、送信コード出力手段１３から出力される送信コードが、変調回路１４によって赤外信号に変調されるので、赤外ＬＥＤ１５を用いるが、送信する通信信号によって適宜送信手段である赤外ＬＥＤ１５は変更すれば足りる。
【００３０】
更に、マイクロコンピュータチップ１０には、送信制御手段１６を備える。送信制御手段１６は、カウント手段１７および送信停止手段１８を備え、カウント手段１７によって送信コード出力手段１３が繰返し出力した送信コードの数をカウントする。そして、カウント手段１７がカウントしたカウント値が所定値に達すると、送信停止手段１８によって送信コード出力１３からの送信コードの出力を停止させる。
【００３１】
即ち、送信制御手段１６では、送信制御手段１６による制御フローを示す図３に表すように、カウント手段１７および送信停止手段１８によるカウンター初期設定ステップＳ０１以下が実行される。
カウンター初期設定ステップＳ０１では、カウントするカウンター値をリセットする。即ち、例えば、カウンター値を示す変数を「Ｎ」として「Ｎ＝０」と置くことでカウンター値をリセットする。そして、カウンター初期設定ステップＳ０１に続けて操作キー入力判断ステップＳ０２が実行される。
操作キー入力判断ステップＳ０２では、各操作キー１１が押圧され入力されてＯＮ状態となるのを待ち受けるステップであり、マイクロコンピュータチップ１０に何れかの操作キー１１から入力があった場合には、操作キー入力判断ステップＳ０２がキーＯＮ状態であるＹＥＳと判断する。また、操作キー１１からＯＮ状態となった入力がない場合には、ＮＯと判断し、再びカウンター初期設定ステップＳ０１を繰返す。尚、この実施例では、操作キー入力判断ステップＳ０２がＮＯと判断した場合にカウンター初期設定ステップＳ０１から再び処理を繰返すように戻るが、ＮＯと判断した場合に再び操作キー入力判断ステップＳ０２を繰返しても良い。
【００３２】
操作キー入力判断ステップＳ０２がＹＥＳと判断した場合には、続けて送信出力指示ステップＳ０３が実行される。送信出力指示ステップＳ０３では、送信コード出力手段１３から送信コードを出力させる。従って、送信コード出力手段１３では、ＯＮ状態となった操作キー１１に予め設定された送信コードを送信出力することとなる。送信出力指示ステップＳ０３に続けては、送信カウントステップＳ０４が実行される。
【００３３】
送信カウントステップＳ０４は、送信出力指示ステップＳ０３の指示によって送信コードの出力がなされたので、カウンター値に「１」を加え「Ｎ＝Ｎ＋１」とするステップである。送信カウントステップＳ０４に続けては、カウンター比較ステップＳ０５が実行される。
【００３４】
カウンター比較ステップＳ０５は、予め設定されているカウンター上限値と送信カウントステップＳ０４において加算されたカウンター値である「Ｎ」の値とを比較するステップであり、カウンター値「Ｎ」がカウンター上限値に達していればＹＥＳと判断して続けて送信停止ステップＳ０６を実行させ、カウンター値「Ｎ」がカウンター上限値に達していなければＮＯと判断して続けて操作キー入力判断ステップＳ０２以下を再び実行させる。
【００３５】
Ｓ０６は送信停止ステップであり、カウンター比較ステップＳ０５が「ＹＥＳ」と判断したとき、即ちカウンター値「Ｎ」がカウンター上限値に達したとき、に実行される。送送信停止ステップＳ０６ではマイクロコンピュータチップ１０の送信コード出力手段１３からの送信コード出力を停止させる。送信停止ステップＳ０６に続けては、操作キーＯＦＦ判断ステップＳ０７が実行される。
【００３６】
従って、カウンター比較ステップＳ０５では、カウンター比較ステップＳ０５の判断基準となるカウンター上限値を、例えば送信コードのフレーム時間長が約１００ｍｓｅｃであれば「１００」とすることで、おおよそ１０秒間はカウンター値「Ｎ」の値が１００カウントされないこととなり、常に「ＮＯ」と判断して再び操作キー入力判断ステップＳ０２以下を実行するので、送信出力指示ステップＳ０３によって送信指示が続けられて送信コードが出力され続けることとなる。そしてカウンター値「Ｎ」が１００カウントされたときにカウンター比較ステップＳ０５では「ＹＥＳ」と判断することとなり、続けて実行される送信停止ステップＳ０６の指示によって操作キー入力判断ステップＳ０２が操作キー１１が押圧され入力されている状態であると判断しても送信コードの出力は強制的に停止されることになる。この送信停止ステップＳ０６では、送信停止手段１８が送信コード出力手段１３へ送信停止させるよう指示するものであり、送信停止手段１８は送信コード出力手段１３の送信コードの出力を停止させる。
【００３７】
送信停止ステップＳ０６に続けて実行されるキーＯＦＦ判断ステップＳ０７は、押圧されて入力状態の操作キー１１の入力が解除されたか否かを判断するステップであり、操作キー１１の入力状態が解除されると「ＹＥＳ」と判断し続けてカウンター初期設定ステップＳ０１に戻る。また、「ＮＯ」と判断した場合には、再びキーＯＦＦ判断ステップＳ０７を繰返すので、操作キー１１の入力状態が解除されるまでは、現状維持、即ち送信停止ステップＳ０６による送信コードの出力停止状態を維持することとなり、無駄な電力の消費をおさえる。
【００３８】
上述のように、マイクロコンピュータチップ１０では各ステップによって操作キー１１が押圧され続けた場合には、カウント手段１７においてカウンター比較ステップＳ０５が、操作キー１１が押圧され続けることで連続して送信され続ける送信コードの出力数をカウントし、予め定める所定値を超えると続く送信停止ステップＳ０６が送信コード出力手段１３へ送信を停止させる。
【００３９】
次いで、送信制御される送信コードについて説明する。
送信コード出力手段１３によって生成される送信コードＷは、図２に表すように、パルス信号からなり、操作キー１１毎に割当てられた所定の波形からなり、操作キー１１が押圧され入力されている状態ではこの同一波形を繰返し出力する。即ち、送信コードＷは、フレームＷ１が特定の操作指示であることを表し、フレームＷ１は、その冒頭部にフレームＷ１の開始位置であることを表すリーダコード部Ｗ２の信号が出力され、これに続けてカスタムコード部Ｗ３が出力される。リーダコード部Ｗ２は、所定長のビット信号でありこの実施例では９ｍｓｅｃ連続する波形とその後に４．５ｍｓｅｃの無波形状態とを合わせた１３．５ｍｓｅｃの期間によって構成する。そして、カスタムコード部Ｗ３は、フレームＷ１に続けて出力される波形であり、操作キー１１毎に異なる波形が割当てられ、該波形を判断することでＤＶＤレコーダ等の受信機器側が操作キー１１を識別可能としている。この実施例では、カスタムコード部Ｗ３は、４５ｍｓｅｃ乃至６３ｍｓｅｃの間に所定の波形を形成してなる。
このように構成するフレームＷ１は１０８ｍｓｅｃ毎に繰返して送信される。尚、図２中横方向は時間軸であり、縦方向は電圧を表している。
【００４０】
この実施例では、１０８ｍｓｅｃ毎に送信されるフレームＷ１の数を送信カウントステップＳ０４がカウントしている。従って、操作キー１１が押圧され続けた時に送信停止手段１８が送信コードＷの送信を停止させるまでの時間を、例えば実質的に１分間連続した場合に停止させるように設定するのであれば、フレームＷ１が１０８ｍｓｅｃなので、約５５５回のフレームＷ１をカウントすることで停止させればよいので、カウンター比較ステップＳ０５が比較に用いる予め定めるカウンター上限値を５５５とすればよい。
尚、この実施例では送信カウントステップＳ０４におけるカウントは、フレームＷ１としたが、フレームＷ１内に出力されるビット数をカウントしても良い。
即ち、フレームＷ１を構成するリーダコード部Ｗ２およびカスタムコード部Ｗ３は、それぞれクロックによって発生させるビットを連続あるいは間欠的に発信させることで構成している。例えば９ｍｓｅｃの連続波形であるリーダコード部Ｗ２では、複数のビットが連続して発生されて９ｍｓｅｃの幅の連続波形を構成している。同様に、カスタムコード部Ｗ３でも、複数のビットが単独や連続することで、特定の波形を構成している。そこで、発生される該ビット数をカウントし、その数を予め定めるカウンター上限値と比較することで送信停止手段１８が送信コードＷの送信を停止させるようにしても良い。
【００４１】
また、送信カウントステップＳ０４におけるカウントは、リーダコード部Ｗ２およびカスタムコード部Ｗ３の立ち上がり数あるいは立ち下がり数をカウントするように構成してもよい。即ち、リーダコード部Ｗ２では立ち上がりが１回であり、続くカスタムコード部Ｗ３では５回の立ち上がりが発生しているので、合計６回の立ち上がりである。この立ち上がり数をカウントし、該カウントした値をカウンター上限値と比較することで、送信停止手段１８が送信コードＷの送信を停止するか否かを決定するように構成してもよい。
【産業上の利用可能性】
【００４２】
本願発明は、一般的な家電製品やコンピュータシステムなどで用いるリモコン送信機に利用可能であると共に、送信する送信コードをリモコン送信機によって一度受信させて操作キーに割当てるよう学習させ、操作キーを押圧して入力したときには学習した送信コードを送信する学習リモコン送信機にも利用可能である。
【図面の簡単な説明】
【００４３】
【図１】この発明の実施例を表す回路説明図
【図２】送信する信号コードを説明する説明図
【図３】この発明の実施例における動作フローチャート
【図４】従来例１の説明図
【図５】従来例２の説明図
【符号の説明】
【００４４】
Ｗ    送信コード
Ｗ１  フレーム
Ｗ２  リーダコード部
Ｗ３  カスタムコード部
１    リモコン送信機
１０    マイクロコンピュータチップ
１１    操作キー
１２    操作キー判別手段
１３    送信コード出力手段
１４    変調回路
１５    赤外ＬＥＤ
１６    送信制御手段
１７    カウント手段
１８    送信停止手段
Ｓ０１  カウンター初期設定ステップ
Ｓ０２  操作キー入力判断ステップ
Ｓ０３  送信出力指示ステップ
Ｓ０４  送信カウントステップ
Ｓ０５  カウンター比較ステップ
Ｓ０６  送信停止ステップ
Ｓ０７  キーＯＦＦ判断ステップ
【図１】
2006074229.tif 000003
【図２】
2006074229.tif 000004
【図３】
2006074229.tif 000005
【図４】
2006074229.tif 000006
【図５】
2006074229.tif 000007